(57)【要約】【課題】多段積の配電盤において１つの遮断器が地絡によりケーブルの交換が必要になった場合に安全性を確保するために配電盤全体を停電させる必要があった。【解決手段】配電盤１は、盤フレーム２内を仕切壁３で仕切った遮断器室４と導体室５を有し、遮断器室４内は更に３つの遮断器室４ａ，４ｂ、４ｃに分割され、各室に遮断器８が収容されている。遮断器８を引き出すと該遮断器８の電源側接触子９および負荷側接触子１０が仕切壁３に設けられている電源側断路部１１および負荷側断路部１２と非接触状態になり、遮断器８を室内に押し込むと接触状態になって、負荷側断路部１２を介して導体室５内の負荷側導体１３ａ〜１３ｃおよびケーブル１４に接続される。各遮断器８の負荷側導体およびケーブルを導体室５の各面に沿って配置し、これらケーブル等を開閉可能なカバー２１で覆った。【選択図】図１
2009284708.tif 000002
【特許請求の範囲】
【請求項１】
箱型の盤フレームの内部を垂直方向の仕切壁で仕切って遮断器室と導体室を形成し、前記遮断器室内を更に分割壁で複数の遮断器室に分割し、これら分割した遮断器室に遮断器を各々収容し、前記各遮断器の負荷側に前記導体室内に配置されている負荷側導体およびケーブルが接続される配電盤において、
前記各遮断器の負荷側導体およびケーブルは、前記導体室の各内面に夫々分散して配置されているとともに、前記各遮断器の負荷側導体およびケーブルは、開閉可能なカバーで覆われていることを特徴とする配電盤。
【請求項２】
前記遮断器室内は、水平方向の分割壁によって垂直方向に段をなす複数の遮断器室に分割されていることを特徴とする請求項１に記載の配電盤。
【請求項３】
前記遮断器室内は、垂直方向の分割壁によって水平方向に列をなす複数の遮断器室に分割されていることを特徴とする請求項１に記載の配電盤。
【請求項４】
前記カバーは、前記導体室の仕切壁の内面に沿って配置されている負荷側導体およびケーブルを覆う第１カバー部と、前記仕切壁を挟んで対向する盤フレームの一対の側壁の内面に沿って配置されている負荷側導体およびケーブルを覆う第２，第３カバー部と、で構成されていることを特徴とする請求項１〜３のいずれかに記載の配電盤。
【請求項５】
第１〜第３カバー部は、軸により回動可能に前記導体室内に取り付けられていることを特徴とする請求項４に記載の配電盤。
【請求項６】
前記第１カバー部は、前記導体室の仕切壁の内面に沿って配置されている負荷側導体およびケーブルを覆っている状態から略９０°回動させると前記第２または第３カバー部に重なって前記導体室の仕切壁の内面に沿って配置されている負荷側導体およびケーブルを露出させ、
前記第２カバー部は、前記一対の側壁の一方の側壁の内面に沿って配置されている負荷側導体およびケーブルを覆っている状態から略９０°回動させると前記第１カバー部に重なって前記一方の側壁の内面に沿って配置されている負荷側導体およびケーブルを露出させ、
前記第３カバー部は、前記一対の側壁の他方の側壁の内面に沿って配置されている負荷側導体およびケーブルを覆っている状態から略９０°回動させると前記第１カバー部に重なって前記他方の側壁の内面に沿って配置されている負荷側導体およびケーブルを露出させることを特徴とする請求項５に記載の配電盤。
【請求項７】
前記カバーは、軸により回動可能に前記導体室内に取り付けられた第１，第２カバー部からなり、
前記第１カバー部は、前記仕切壁を挟んで対向する盤フレームの一対の側壁のうちの一方の側壁の内面に沿って配置されている負荷側導体およびケーブルを覆っている状態から略９０°回動させると、前記一方の側壁の内面に沿って配置されている負荷側導体およびケーブルを露出させる一方、前記仕切壁の内面に沿って配置されている負荷側導体およびケーブルを覆い、
前記第２カバー部は、前記一対の側壁のうちの他方の側壁の内面に沿って配置されている負荷側導体およびケーブルを覆っている状態から略９０°回動させると、前記他方の側壁の内面に沿って配置されている負荷側導体およびケーブルを露出させる一方、前記仕切壁の内面に沿って配置されている負荷側導体およびケーブルを覆うことを特徴とする請求項１〜３のいずれかに記載の配電盤。
【請求項８】
前記カバーは、ストッパーにより開状態または閉状態に維持されることを特徴とする請求項１〜７のいずれかに記載の配電盤。
【請求項９】
前記カバーは、接地されていることを特徴とする請求項１〜８のいずれかに記載の配電盤。
【発明の詳細な説明】
【技術分野】
【０００１】
本発明は、複数の遮断器を収容した配電盤に関し、特に一つ遮断器の負荷側導体やケーブルの修理や交換を行なう場合において、他の遮断器を停電させないで負荷側導体やケーブルの修理や交換作業を安全に行うことができるようにしたものである。
【背景技術】
【０００２】
複数の遮断器を収容した配電盤として、図７に示すものが知られている。この配電盤１０１は、箱状の盤フレーム１０２内が手前側の機械室１０３と奥側の導体室１０４とに区画され、機械室１０３には引出型の遮断器１０５が上下方向に多段に配置されている。また、機械室１０３と導体室１０４との境には各遮断器１０５の接続端子に着脱される電源側と負荷側の各断路部１０６，１０７が設けられている。一方、導体室１０４には水平母線１０８と、これに接続された垂直母線１０９が設けられるとともに、これら母線１０８，１０９の背後には、盤フレーム１０２の床部からケーブル１１０が導入されている。
【０００３】
前記垂直母線１０９は、電源側の断路部１０６に接続され、またケーブル１１０は、負荷側の接続導体（以下、負荷側導体）１１１を介して負荷側の断路部１０７に接続されている。さらに、各々のケーブル１１０の途中には零相変圧器１１２が、また、負荷側導体１１１の途中には変流器１１３が設けられている。１１４はケーブル１１０と負荷側導体１１１を接続する接続端子、１１５はケーブル１１０を支持するケーブルサポートである。（例えば、特許文献１、特許文献２参照）。
【０００４】
前記零相変圧器１１２や変流器１１３は、経年変化によって特性が劣化するので定期的に点検する必要がある。点検は盤フレーム１０２内に入って行なわなければならず、安全性を確保するためには、配電盤全体を停電させる必要があり、経済的損失が大となる。
【０００５】
そこで、配電盤全体を停電させないで零相変圧器１１２や変流器１１３の保守、点検等を安全に行なうことができるようにするために、図８（Ａ）に示すように、盤フレーム２０２内に配電盤用開閉器ユニット２０３を上下方向に沿って多段にわたって収納し、盤フレーム２０２の前面側の扉２０４を開いた後、各配電盤用開閉器ユニット２０３をレール２０５に沿って手前に引き出すようにした配電盤２０１が開発されている。
【０００６】
前記配電盤２０１において、配電盤用開閉器ユニット２０３は、図８（Ｂ）に示すように、互いに対向配置された左右一対の側板２０６と、両側板２０６間を連結する棚板２０７とからなる断面Ｈ字状の支持フレーム２０８を有し、このフレーム２０８の棚板２０７の上面側に主回路２０９が、下面側に主回路２０９を制御する制御機器部２１０が配置されている。
【０００７】
前記配電盤２０１は、盤フレーム２０２から配電盤用開閉器ユニット２０３全体を手前側に引き出すことで、電源側と負荷側の各ジャンクション２１１，２１２が、盤フレーム２０２に設けられている図示しない母線やケーブルから切り離されるために、配電盤全体を停電させなくても各機器の保守や点検等を容易に行うことができる。（例えば、特許文献２参照）。
【特許文献１】特開昭５４−６９７３８号公報（左下欄第１行〜第３頁左欄第８行）
【特許文献２】特開２００３−１８９４２２号公報（段落０００３〜段落０００７、段落００１８、段落００２０、段落００２３等）
【発明の開示】
【発明が解決しようとする課題】
【０００８】
ところで、前記従来の引出型の配電盤２０１は、前述したように、配電盤用開閉器ユニット２０３全体を手前側に引き出すことで、電源側と負荷側の各ジャンクション２１１，２１２が、母線やケーブルから切り離されるので、配電盤全体を停電させなくても、主回路２０９や制御機器部２１０の保守や点検等を容易に行うことができる。しかし、負荷側導体やケーブルの保守、点検あるいは地絡事故によりケーブルの交換が必要になった場合には、図７に示す配電盤１０１の場合と同様に盤フレームの導体室内という同一空間内において作業を行わなければならず、安全性を確保するためには、配電盤全体を停電させる必要があった。
【０００９】
本発明の目的は、負荷側導体やケーブルの保守、点検あるいは地絡事故によりケーブルの交換が必要になった場合に、配電盤全体を停電させることなく、保守、点検等を必要とする遮断器のみを停電させて、作業を安全に行なうことのできる配電盤を提供することにある。
【課題を解決するための手段】
【００１０】
請求項１の発明は、箱型の盤フレームの内部を垂直方向の仕切壁で仕切って遮断器室と導体室を形成し、前記遮断器室内を更に分割壁で複数の遮断器室に分割し、これら分割した遮断器室に遮断器を各々収容し、前記各遮断器の負荷側に前記導体室内に配置されている負荷側導体およびケーブルが接続される配電盤において、前記各遮断器の負荷側導体およびケーブルを、前記導体室の各内面に夫々分散して配置するとともに、前記各遮断器の負荷側導体およびケーブルを、開閉可能なカバーで覆った。
【００１１】
請求項２の発明は、請求項１に記載の配電盤において、前記遮断器室内を、水平方向の分割壁によって垂直方向に段をなす複数の遮断器室に分割した。
【００１２】
請求項３の発明は、請求項１に記載の配電盤において、前記遮断器室内を、垂直方向の分割壁によって水平方向に列をなす複数の遮断器室に分割した。
【００１３】
請求項４の発明は、請求項１〜３のいずれかに記載の配電盤において、前記カバーを、前記導体室の仕切壁の内面に沿って配置されている負荷側導体およびケーブルを覆う第１カバー部と、前記仕切壁を挟んで対向する盤フレームの一対の側壁の内面に沿って配置されている負荷側導体およびケーブルを覆う第２，第３カバー部とで構成した。
【００１４】
請求項５の発明は、請求項４に記載の配電盤において、第１〜第３カバー部を、軸により回動可能に前記導体室内に取り付けた。
【００１５】
請求項６の発明は、請求項５に記載の配電盤において、前記第１カバー部を、前記導体室の仕切壁の内面に沿って配置されている負荷側導体およびケーブルを覆っている状態から略９０°回動させると前記第２または第３カバー部に重なって前記導体室の仕切壁の内面に沿って配置されている負荷側導体およびケーブルを露出させる構成にし、前記第２カバー部を、前記一対の側壁のうちの一方の側壁の内面に沿って配置されている負荷側導体およびケーブルを覆っている状態から略９０°回動させると前記第１カバー部に重なって前記一方の側壁の内面に沿って配置されている負荷側導体およびケーブルを露出させる構成にし、前記第３カバー部を、前記一対の側壁のうちの他方の側壁の内面に沿って配置されている負荷側導体およびケーブルを覆っている状態から略９０°回動させると前記第１カバー部に重なって前記他方の側壁の内面に沿って配置されている負荷側導体およびケーブルを露出させる構成にした。
【００１６】
請求項７の発明は、請求項１〜３のいずれかに記載の配電盤において、前記カバー部を、軸により回動可能に前記導体室内に取り付けられた第１，第２カバー部で構成し、前記第１カバー部を、前記仕切壁を挟んで対向する盤フレームの一対の側壁のうちの一方の側壁の内面に沿って配置されている負荷側導体およびケーブルを覆っている状態から略９０°回動させると、前記一方の側壁の内面に沿って配置されている負荷側導体およびケーブルを露出させる一方、前記仕切壁の内面に沿って配置されている負荷側導体およびケーブルを覆う構成にするとともに、前記第２カバー部を、前記一対の側壁のうちの他方の側壁の内面に沿って配置されている負荷側導体およびケーブルを覆っている状態から略９０°回動させると、前記他方の側壁の内面に沿って配置されている負荷側導体およびケーブルを露出させる一方、前記仕切壁の内面に沿って配置されている負荷側導体およびケーブルを覆う構成にした。
【００１７】
請求項８の発明は、請求項１〜７のいずれかに記載の配電盤において、前記カバーは、ストッパーにより開状態または閉状態に維持する構成にした。
【００１８】
請求項９の発明は、請求項１〜８のいずれかに記載の配電盤において、前記カバーを接地させた。
【発明の効果】
【００１９】
（１）請求項１の配電盤は、負荷側導体やケーブルの修理等が必要になった負荷側導体およびケーブルのみを露出させ、他の負荷側導体およびケーブルをカバーで覆った状態にしておくことにより、配電盤全体を停電させることなく、修理等を必要とする遮断器のみを停電させて、修理等を安全に行なうことができる。
（２）請求項２の配電盤は、遮断器室内を、水平方向の分割壁によって垂直方向（上下方向）に段をなす複数の遮断器室に分割したので、複数の遮断器を垂直方向に積み重ねた状態で収容することができる。
（３）請求項３の配電盤は、遮断器室内を、垂直方向の分割壁によって水平方向に列をなす複数の遮断器室に分割したので、複数の遮断器を同じ高さに並べた状態で収容することができる。
（４）請求項４の配電盤は、前記導体室の仕切壁および該仕切壁を挟んで対向する盤フレームの一対の側壁の合計３つの面の内面に沿って夫々分散して配置した各遮断器の負荷側導体およびケーブルを前記第１〜第３の３つのカバー部で覆っておいて、修理等の必要となった負荷側導体およびケーブルのカバーを開いて、これら負荷側導体およびケーブルを露出させて、修理等を安全に行うことができる。
（５）請求項５の配電盤は、軸を中心にして第１〜第３カバー部を回動させることにより、これらカバー部を開閉させて各遮断器の負荷側導体およびケーブルを覆ったり、露出させたりすることができる。
（６）請求項６の配電盤は、第１〜第３カバー部を開くと、開いたカバー部は他のカバー部の前面側に重なるので、開いたカバー部が修理作業の邪魔になるのを防止する。
（７）請求項７の配電盤は、第１カバー部で、前記導体室の仕切壁を挟んで対向する盤フレームの一対の側壁のうちの一方の側壁の内面に沿って配置した各遮断器の負荷側導体およびケーブルを覆い、第２カバー部で、他方の側壁の内面に沿って配置した遮断器の負荷側導体およびケーブルを覆い、前記仕切壁の内面に沿って配置されている負荷側導体およびケーブルを露出させているので、該仕切壁の内面に沿って配置されている負荷側導体やケーブル等を修理する場合には、そのままの状態で修理を行う。また、前記一対の側壁の内面に沿って配置した遮断器の負荷側導体およびケーブルを修理する場合には、修理が必要な負荷側導体およびケーブルを覆っているカバー部を略９０°回動させると、前記修理が必要な負荷側導体およびケーブルを露出させる一方、前記仕切壁の内面に沿って配置されている負荷側導体およびケーブルを覆って、修理等を安全に行うことができる。
（８）請求項８の配電盤は、前記カバーをストッパーにより開状態または閉状態に維持して、修理等の作業中にカバー部が開いたり、閉じたりするのを防止することができる。
（９）請求項９の配電盤は、前記カバーを接地させたので、作業中の感電事故を抑制することができる。
【発明を実施するための最良の形態】
【００２０】
図１〜図２は、本発明の配電盤１の第１実施例を示し、図１（Ａ）は配電盤１の略示的断面図、図１（Ｂ）は略示的側面図、図１（Ｃ）は略示的平面図である。図１（Ａ）に示すように、配電盤１は、箱型の盤フレーム２の内部を垂直方向の仕切壁３で仕切って遮断器室４と導体室５を形成し、前記遮断器室５内を更に水平方向の分割壁６，７で上，中，下段の３つの遮断器室４ａ，４ｂ，４ｃに分割し、これら３つの遮断器室４ａ，４ｂ，４ｃにそれぞれ遮断器８を出し入れ可能に収容している。そして、前記遮断器室４ａ，４ｂ，４ｃから遮断器８を引き出すと、該遮断器８の電源側接触子９および負荷側接触子１０が前記仕切壁３に設けられている電源側断路部１１および負荷側断路部１２と非接触状態になり、前記遮断器８を前記遮断器室４ａ，４ｂ，４ｃ内に押し込むと前記電源側接触子９および負荷側接触子１０が前記電源側断路部１１および負荷側断路部１２と接触状態になって、該負荷側断路部１２を介して前記導体室５内に配置されている負荷側導体１３ａ〜１３ｃ，ケーブル１４ａ〜１４ｃに接続される。１５は遮断器室４ａ，４ｂ，４ｃの扉、１６は導体室５の扉である。１５ａ，１６ａは各扉１５，１６のノブである。
【００２１】
前記導体室５には前記負荷側導体１３ａ〜１３ｃ，ケーブル１４ａ〜１４ｃのほかに水平母線１７，垂直母線１８等が配置されている。水平母線１７は、導体室５の奥端側の上部、即ち扉１６に対向する仕切壁３の上部に、該仕切壁３の内面に沿って水平方向に配置されている。また、垂直母線１８は、仕切壁３の内面に沿って垂直方向に配置されていて、一端側が水平母線１７に接続され、他端側が前記各遮断器８の電源側断路部１１に接続される。電源側断路部１１は、前記遮断器８の電源側接触子９に接離される。各遮断器８の負荷側断路部１２は、前述したように、前記負荷側導体１３ａ〜１３ｃを介してケーブル１４ａ〜１４ｃに接続されている。
【００２２】
前記上，中，下段の３つの遮断器室４ａ，４ｂ，４ｃのうちの中段の遮断器室４ｂの負荷側導体１３ｂは、図１（Ｂ），図１（Ｃ）に示すように、仕切壁３の内面に沿わせて引き出され、先端の接続部１９ｂにケーブル１４ｂが接続されている。前記ケーブル１４ｂは、前記接続部１９ｂの略真下に設けた盤フレーム２のケーブル導入孔２０から導体室５内に導入されている。
【００２３】
上段の遮断器室４ａの負荷側断路部１２に接続される負荷側導体１３ａは、仕切壁３を挟んで対向する盤フレーム２の一対の側壁２ａ，２ｂのうちの一方の側壁２ａに沿わせた状態で引き出され、先端部に設けた接続部１９ａにケーブル１４ａが接続されている。前記ケーブル１４ａは、前記接続部１９ａの略真下に設けた盤フレーム２のケーブル導入孔２０から導体室５内に導入されている。
【００２４】
下段の遮断器室４ｃの負荷側断路部１２に接続される負荷側導体１３ｃは、前記他方の側壁２ｂの内面に沿った状態で引き出されていて、先端部に設けた接続部１９ｃにケーブル１４ｃが接続されている。前記ケーブル１４ｃは、前記接続部１９ｃの略真下に設けた盤フレーム２のケーブル導入孔２０から導体室５内に導入されている。
【００２５】
そして、前記仕切壁３および一対の側壁２ａ，２ｂの内面に沿って、夫々分散して配置された各遮断器室４ａ，４ｂ，４ｃの負荷側導体１３ａ〜１３ｃとケーブル１４ａ〜１４ｃは、それぞれを個別に開閉可能なカバー２１で覆われている。
【００２６】
前記カバー２１は、前記仕切壁３の内面に沿って配置されている接続部１９ｂおよび該接続部１９ｂにより接続された負荷側導体１３ｂおよびケーブル１４ｂを覆う第１カバー部２２と、前記一対の側壁２ａ，２ｂのうちの一方の側壁２ａの内面に沿って配置されている接続部１９ａおよび該接続部１９ａにより接続された負荷側導体１３ａとケーブル１４ａを覆う第２カバー部２３と、他方の側壁２ｂの内面に沿って配置されている接続部１９ｃおよび該接続部１９ｃにより接続された負荷側導体１３ｃとケーブル１４ｃを覆う第３カバー部２４と、によって構成されている。
【００２７】
前記第１〜第３カバー部２２〜２３は、図１（Ｃ）に示すように、前記接続部１９ａ〜１９ｃおよびこれら接続部１９ａ〜１９ｃにより接続された負荷側導体１３ａ〜１３ｃとケーブル１４ａ〜１４ｃの更に内側に略コ字状に配置されている。
【００２８】
前記第１〜第３カバー部２２〜２４は、軸２５により回動可能に前記導体室５内に取り付けられている。
【００２９】
前記第１カバー部２２は、図１（Ｃ）に示すように、前記仕切壁３の内面に沿って配置されている接続部１９ｂおよび該接続部１９ｂにより接続された負荷側導体１３ｂとケーブル１４ｂを覆っている状態から、前記軸２５を中心にして矢印Ａ方向に略９０°回動させると、図２（Ａ）に示すように、前記第２カバー部２３に重なって、前記仕切壁３の内面に沿って配置されている接続部１９ｂおよび該接続部１９ｂにより接続されている負荷側導体１３ｂとケーブル１４ｂを露出させる。
【００３０】
前記第２カバー部２３は、図１（Ｃ）に示すように、前記盤フレーム２の一方の側壁２ａの内面に沿って配置されている接続部１９ａおよび該接続部１９ａにより接続されている負荷側導体１３ａとケーブル１４ａを覆っている状態から矢印Ｂ方向に略９０°回動させると、図２（Ｂ）に示すように、前記第１カバー部２２に重なって、前記一方の側壁２２ａの内面に沿って配置されている接続部１９ａおよび該接続部１９ａにより接続されている負荷側導体１３ａとケーブル１４ａを露出させる。
【００３１】
前記第３カバー部２４は、図１（Ｃ）に示すように、前記他方の側壁２ｂの内面に沿って配置されている接続部１９ｃおよび該接続部１９ｃにより接続されている負荷側導体１３ｃとケーブル１４ｃを覆っている状態から矢印Ｃ方向に略９０°回動させると、図２（Ｃ）に示すように、前記第１カバー部２２に重なって、前記他方の側壁２ｂの内面に沿って配置されている接続部１９ｃおよび該接続部１９ｃにより接続されている負荷側導体１３ｃとケーブル１４ｃを露出させる。
【００３２】
前記第１〜第３カバー部２２〜２４は、図示を省略したストッパー（ロック装置）によって、負荷側導体およびケーブルを覆った閉状態、或いは負荷側導体およびケーブルを露出させた開状態に維持される。また、前記第１〜第３カバー部２２〜２４は、接地されていて、感電事故を防止するようになっている。
【００３３】
第１実施例の配電盤は、前述のような構成であって、前記第１〜第３カバー部２２〜２４のうち、修理が必要となった負荷側導体およびケーブルを覆っているカバー部のみを開き、他のカバー部を閉じた状態にしておくことにより、配電盤全体を停電させることなく、修理を必要とする遮断器のみを停電させて、修理を安全に行なうことができる。
【００３４】
図３は、本発明の配電盤１の第２実施例を示す。この実施例は、カバー３１を第１，第２カバー部３２，３３で構成した場合を示す。第１，第２カバー部３２，３３は、軸３４により回動可能に前記導体室５内に取り付けられている。
【００３５】
前記第１カバー部３２は、図３（Ａ）に示すように、前記盤フレーム２の一方の側壁２ａの内面に沿って配置されている接続部１９ａおよび該接続部１９ａにより接続されている負荷側導体１３ａとケーブル１４ａを覆っている状態から矢印Ａ方向に略９０°回動させると、図３（Ｂ）に示すように、前記一方の側壁２ａの内面に沿って配置されている接続部１９ａおよび該接続部１９ａにより接続されている負荷側導体１３ａとケーブル１４ａを露出させる一方、前記仕切壁３の内面に沿って配置されている接続部１９ｂおよび該接続部１９ｂにより接続されている負荷側導体１３ｂとケーブル１４ｂを覆う。
【００３６】
また、前記第２カバー部３３は、図３（Ａ）に示すように、前記盤フレーム２の他方の側壁２ｂの内面に沿って配置されている接続部１９ｃおよび該接続部１９ｃにより接続されている負荷側導体１３ｃとケーブル１４ｃを覆っている状態から矢印Ｂ方向に略９０°回動させると、図３（Ｃ）に示すように、前記他方の側壁２ｂの内面に沿って配置されている接続部１９ｃおよび該接続部１９ｃにより接続されている負荷側導体１３ｃとケーブル１４ｃを露出させる一方、前記仕切壁３の内面に沿って配置されている接続部１９ｂおよび該接続部１９ｂにより接続されている負荷側導体１３ｂおよびケーブル１４ｂを覆う。その他の構成は、第１実施例の場合と同様であるので重複する説明は省略する。
【００３７】
第２実施例の配電盤は、前述のような構成であって、前記第１カバー部３２で盤フレーム２の一方の側壁２ａの内面に沿って配置されている接続部１９ａおよび該接続部１９ａにより接続されている負荷側導体１３ａとケーブル１４ａを覆い、前記第２カバー部３３で盤フレーム２の他方の側壁２ｂの内面に沿って配置されている接続部１９ｃおよび該接続部１９ｃにより接続されている負荷側導体１３ｃとケーブル１４ｃを覆い、前記仕切壁３の内面に沿って配置されている負荷側導体１３ｂおよびケーブル１４ｂを露出させているので、これら負荷側導体１３ｂやケーブル１４ｂを修理する場合には、前記第１，第２カバー部３２，３３を開閉操作することなく安全に前記仕切壁３の内面に沿って配置されている負荷側導体１３ｂやケーブル１４ｂの修理を行うことができる。
【００３８】
また、前記負荷側導体１３ａやケーブル１４ａを修理する場合には、前記第１カバー部３２を、図３（Ａ）の矢印Ａ方向に略９０°回動させて、前記一方の側壁２ａの内面に沿って配置されている接続部１９ａおよび該接続部１９ａにより接続されている負荷側導体１３ａとケーブル１４ａを露出させるとともに、前記第１カバー部３２で前記仕切壁３の内面に沿って配置されている接続部１９ｂおよび該接続部１９ｂにより接続されている負荷側導体１３ｂとケーブル１４ｂを覆うことにより、前記一方の側壁２ａの内面に沿って配置されているケーブル１４ａ等の修理を安全に行うことができる。
【００３９】
また、前記負荷側導体１３ｃやケーブル１４ｃを修理する場合には、前記第２カバー部３３を、図３（Ａ）の矢印Ｂ方向に略９０°回動させて、図３（Ｃ）に示すように、前記他方の側壁２ｂの内面に沿って配置されている接続部１９ｃおよび該接続部１９ｃにより接続されている負荷側導体１３ｃとケーブル１４ｃを露出させるとともに、前記第２カバー部３３で前記仕切壁３の内面に沿って配置されている接続部１９ｂおよび該接続部１９ｂにより接続されている負荷側導体１３ｂとケーブル１４ｂを覆うことにより、前記負荷側導体１３ｃやケーブル１４ｃの修理を安全に行うことができる。
【００４０】
図４は、本発明の配電盤１の第３実施例を示す。この実施例は、箱型の盤フレーム２の内部を垂直方向の仕切壁４１で仕切って遮断器室４２と導体室４３を形成するとともに、前記遮断器室４２内を更に垂直方向の分割壁４４，４５で仕切って水平方向に並ぶ３つの遮断器室４２ａ，４２ｂ，４２ｃに分割し、これら３つの遮断器室４２ａ，４２ｂ，４２ｃにそれぞれ遮断器（図示省略）を出し入れ可能に収容した場合を示す。
【００４１】
第３実施例の場合は、遮断器室４２ａ，４２ｂ，４２ｃ内の遮断器８を同じ高さ位置に収容することができる。図４においては、仕切壁４１と分割壁４４，４５を別部材で構成した場合を示したが、図５に示すように、一枚の金属板等を使用して仕切壁４１と分割壁４４，４５を一体的に形成してもよい。その他の構成は第１，第２実施例の場合と同じであるので重複する説明は省略する。
【００４２】
図６は、本発明の配電盤１の第４実施例を示す。この実施例においては、Ｙ字状あるいはＶ字状に形成した仕切壁５１によって、箱型の盤フレーム２の内部を第１，第２の２個の遮断器室５２，５３と導体室５４に仕切った場合を示している。
【００４３】
前記第１の遮断器室５２に収容された遮断器の負荷側導体とケーブル（図６においては負荷側導体とケーブルを接続する接続部５５が表示されている）は、前記Ｙ字状あるいはＶ字状に形成した仕切壁５１の一方の傾斜面５１ａの内面に沿って配置されている。また、前記第２の遮断器室５３に収容された遮断器の負荷側導体とケーブル（図６においては負荷側導体とケーブルを接続する接続部５６が表示されている）は、前記Ｙ字状あるいはＶ字状に形成した仕切壁５１の他方の傾斜面５１ｂの内面に沿って配置されている。
【００４４】
前記接続部５５により接続された第１の遮断器室５２の遮断器の負荷側導体とケーブルと、前記接続部５６により接続された第２の遮断器室５２の遮断器の負荷側導体とケーブルは、カバー５７によって開閉される。
【００４５】
前記カバー５７は、一端側が軸５８によって前記仕切壁５１の一方の傾斜面５１ａと他方の傾斜面５１ｂの付け根部分に回動可能に取り付けられている。そして、図６に実線で示すように、前記一方の傾斜面５１ａの内面に沿って配置された第１の遮断器室５２の遮断器の負荷側導体とケーブルを覆った状態から、前記カバー５７を矢印Ａ方向に所定角度回動させると、２点鎖線で示すように、前記第２の遮断器室５３の遮断器の負荷側導体とケーブルを覆った状態になる。その他の構成は第１〜第３実施例の場合と同じであるので重複する説明は省略する。なお、上記各実施例では、カバー部を開閉させる方法としてカバー部を回動させる場合を示したが、カバー部をスライドさせ、或いはスライドと回動を併用してカバー部を開閉させてもよい。
【図面の簡単な説明】
【００４６】
【図１】（Ａ）は第１実施例の配電盤の略示的断面図、（Ｂ）は略示的側面図、（Ｃ）は略示的平面図。
【図２】（Ａ），（Ｂ），（Ｃ）は作用を示す説明図。
【図３】（Ａ），（Ｂ），（Ｃ）は第２実施例の配電盤の作用を示す説明図。
【図４】第３実施例の配電盤の説明図。
【図５】第３実施例の配電盤の変形例を示す説明図。
【図６】第４実施例の配電盤の説明図。
【図７】（Ａ），（Ｂ）は従来例の説明図。
【図８】（Ａ），（Ｂ）は他の従来例の説明図。
【符号の説明】
【００４７】
１…配電盤
２…盤フレーム
３…仕切壁
４…遮断器室
４ａ，４ｂ、４ｃ…分割された遮断器室
５…導体室
６，７…分割壁
８…遮断器
９…電源側接触子
１０…負荷側接触子
１１…電源側断路部
１２…負荷側断路部
１３ａ〜１３ｃ…負荷側導体
１４ａ〜１４ｃ…ケーブル
１５，１６…扉
１７…水平母線
１８…垂直母線
１９ａ〜１９ｃ…接続部
２０…ケーブル導入孔
２１…カバー
２２…第１カバー部
２３…第２カバー部
２４…第３カバー部
２５…軸
３１…カバー
３２…第１カバー部
３３…第２カバー部
３４…軸
【図１】
2009284708.tif 000003
【図２】
2009284708.tif 000004
【図３】
2009284708.tif 000005
【図４】
2009284708.tif 000006
【図５】
2009284708.tif 000007
【図６】
2009284708.tif 000008
【図７】
2009284708.tif 000009
【図８】
2009284708.tif 000010